(57)【要約】      （修正有）【課題】開封しやすい構造でありながら、飲み口が人間の口にフィットして飲みやすい飲料缶を提供する。【解決手段】中空円筒状の周壁２２と底板２４と天板２６とを含む缶体１２と、一体化して天板２６の一部を成す。口金部１４と、天板２６の口金部１４から離隔した位置に凹設されたくぼみ部１６と、一端が天板２６に接続されるとともに他端がくぼみ部１６位置に対応して設定されるタブ１８と、一端が天板２６とタブ１８との接続部分３８に接続されるとともに他端が缶体１２内側から口金部１４に接続されるリンク２０とを備える。リンク２０は、タブ１８の他端側の引き起こし操作時に天板２６とタブ１８との接続部分３８回りに回動して口金部１４を開封させる。【選択図】図１
0003164503.tif 000002
【実用新案登録請求の範囲】
【請求項１】
中空円筒状の周壁と下面側を閉鎖する底板と上面側を閉鎖する天板とを含む缶体と、
天板の外縁寄り位置に形成され、天板と一体化して天板の一部を成し、常時は缶体の上面側を閉鎖し、開封時に周壁の上端に沿うような横長形状の飲み口部を開口させる横長の口金部と、
天板において口金部から離隔した位置に天板上面から凹設されたくぼみ部と、
天板上面に配置され、一端が天板に接続されるとともに他端がくぼみ部位置に対応して設定されるタブと、
缶体の内側に配置され、一端が天板とタブとの接続部分に接続されるとともに他端が缶体内側から口金部に接続され、タブの他端側の引き起こし操作時に天板とタブとの接続部分回りに回動して口金部を開封させるリンクと、を備えたことを特徴とする飲料缶。
【請求項２】
天板は、缶体の円筒軸線長手方向に対して傾斜した傾斜壁であり、傾斜高位側の外縁が周壁の上端部に接続される傾斜壁を有し、
周壁の上端部と接続される傾斜壁の傾斜高位側に口金部が形成されることを特徴とする請求項１記載の飲料缶。
【請求項３】
天板は、缶体の周壁の上端部と結着部を介して該上端部の円形全周に亘って結着され、
傾斜壁の傾斜低位側の外縁と結着部の一部とを接続するように、傾斜壁及び結着部と一体的に形成された接続壁を有することを特徴とする請求項２記載の飲料缶。
【請求項４】
タブは、一方に長い板片状部材で設けられたことを特徴とする請求項１ないし３のいずれかに記載の飲料缶。
【考案の詳細な説明】
【技術分野】
【０００１】
本考案は、清涼飲料、炭酸飲料やアルコール飲料等を封入したイージーオープン蓋タイプの飲料缶に関する。
【背景技術】
【０００２】
お茶やコーヒー、ジュース等の清涼飲料、ビールや発泡酒等のアルコール飲料が入れられた飲料缶では、缶切り等の道具を不要として簡便に飲み口を開けることができるイージーオープン蓋が採用されている。また、飲料缶のイージーオープン蓋では、缶上蓋の一部を飲み口として開口させるパーシャルオープンエンド（ＰＯＥ）が利用されている。従来の飲料缶は、缶上面の開口される部分に対応してスコアといわれる切り溝が縦長丸状に形成されているとともに、開口を開けるためのタブがリベットで取り付けられており、タブの先端に指を掛けてタブを引き起こしてスコアを破断して開口を開け、開口に口をつけて飲料缶を傾けると缶内の飲料を直接飲むことができるものであった。近時では、スコアで破断された口金片とタブとが缶上蓋側に残るステイオンタブ式蓋が多く利用されている。しかしながら、従来の飲料缶では、タブの先端と缶上面との僅かな隙間に指を入れにくいとともに、タブを引き起こす際に大きな力が必要であることから、特に手の力の弱い高齢者や女性、子供等にとっては缶を開けにくい問題があった。このような問題に対しては、タブに指を掛けやすくしてタブを簡単に開けられるように改善を図った技術が種々提案されている。例えば、特許文献１には、タブ先端の指の当たる部分の缶上面に指先導入用のくぼみを設けた技術や、タブにあそびを設ける技術や、タブに折り畳みの把手を設ける技術等が開示されている。
【先行技術文献】
【特許文献】
【０００３】
【特許文献１】実用新案登録第３００５９８２号公報
【考案の概要】
【考案が解決しようとする課題】
【０００４】
従来の飲料缶では、缶上面のスコアを破断して形成される開口は、縦長に形成されているから、缶内部の飲料が出にくいとともに、人の横長の口に合わないのでスムーズに口内に流れにくく、飲みにくいものであった。同時に、開口が形成される缶上面が缶胴に対して直角に形成されているから、人の口にフィットしにくいことも飲みにくい要因の一つとなっていった。また、従来のステイオンタブ式の飲料缶では、タブを引き起こした後に、起したタブが邪魔になるので元の位置に押し戻す操作を行なう必要があるため、開缶操作に２回の手間がかかっていた。また、タブの複数回の折り曲げを行うことで、タブとリベットとの接続部分が切断されやすく、怪我や誤飲のおそれがあった。
【０００５】
本考案は上記従来の課題に鑑みてなされたものであり、その一つの目的は、開封しやすい構造でありながら、飲み口が人間の口にフィットして安全にスムーズに缶内の飲料を飲むことができる飲料缶を提供することにある。さらに、他の目的は飲みやすい飲料缶を低コストで製造できる飲料缶を提供することにある。
【課題を解決するための手段】
【０００６】
上記課題を解決するために本考案は、中空円筒状の周壁２２と下面側を閉鎖する底板２４と上面側を閉鎖する天板２６とを含む缶体１２と、天板２６の外縁寄り位置に形成され、天板２６と一体化して天板２６の一部を成し、常時は缶体１２の上面側を閉鎖し、開封時に周壁２２の上端に沿うような横長形状の飲み口部３６を開口３７させる横長の口金部１４と、天板２６において口金部１４から離隔した位置に天板２６上面から凹設されたくぼみ部１６と、天板２６上面に配置され、一端が天板２６に接続されるとともに他端がくぼみ部１６位置に対応して設定されるタブ１８と、缶体１２の内側に配置され、一端が天板２６とタブ１８との接続部分に接続されるとともに他端が缶体１２内側から口金部１４に接続され、タブ１８の他端側の引き起こし操作時に天板２６とタブ１８との接続部分３８回りに回動して口金部１４を開封させるリンク２０と、を備えたことを特徴とする飲料缶１０から構成される。飲料缶１０は、例えば、周壁２２と底板２４とが一体的に製造したものと別に製造した天板とを組み付けて一体化する２ピース構造や、周壁と底板と天板とをそれぞれ別部材として製造してそれらを一体的に組み付けた３ピース構造でもよい。
【０００７】
また、天板２６は、缶体１２の円筒軸線Ｍ長手方向に対して傾斜した傾斜壁３０であり、傾斜高位側Ｈｐの外縁が周壁２２の上端部に接続される傾斜壁３０を有し、周壁２２の上端部と接続される傾斜壁３０の傾斜高位側Ｈｐに口金部１４が形成されることとしてもよい。
【０００８】
また、天板２６は、缶体１２の周壁２２の上端部と結着部２８を介して該上端部の円形全周に亘って結着され、傾斜壁３０の傾斜低位側の外縁と結着部２８の一部とを接続するように、傾斜壁３０及び結着部２８と一体的に形成された接続壁３２を有することとしてもよい。
【０００９】
また、タブ１８は、一方に長い板片状部材で設けられたこととしてもよい。
【考案の効果】
【００１０】
本考案の飲料缶によれば、中空円筒状の周壁と下面側を閉鎖する底板と上面側を閉鎖する天板とを含む缶体と、天板の外縁寄り位置に形成され、天板と一体化して天板の一部を成し、常時は缶体の上面側を閉鎖し、開封時に周壁の上端に沿うような横長形状の飲み口部を開口させる横長の口金部と、天板において口金部から離隔した位置に天板上面から凹設されたくぼみ部と、天板上面に配置され、一端が天板に接続されるとともに他端がくぼみ部位置に対応して設定されるタブと、缶体の内側に配置され、一端が天板とタブとの接続部分に接続されるとともに他端が缶体内側から口金部に接続され、タブの他端側の引き起こし操作時に天板とタブとの接続部分回りに回動して口金部を開封させるリンクと、を備えたことから、口金部を開封して缶を開けた際に、横長の開口が形成されるので、人の横長の口形状にフィットしやすく、缶内部の飲料をスムーズに飲むことができる。同時に、横長の口金部の構造を維持しつつ、簡単にタブを引き起こして、確実に口金部を開封できる構造を具体的に実現できる。また、口金部を開口させる操作は、タブを引き起こして同じ方向に１８０度回転させる一連の操作だけでよく、開封操作性の向上を期待できる。
【００１１】
さらに、天板は、缶体の円筒軸線長手方向に対して傾斜した傾斜壁であり、傾斜高位側の外縁が周壁の上端部に接続される傾斜壁を有し、周壁の上端部と接続される傾斜壁の傾斜高位側に口金部が形成される構成とすることにより、缶に直接口をつけて飲む際に人の口にフィットしやすく、缶内部の飲料をスムーズに飲むことができる。
【００１２】
また、天板は、缶体の周壁の上端部と結着部を介して該上端部の円形全周に亘って結着され、傾斜壁の傾斜低位側の外縁と結着部の一部とを接続するように、傾斜壁及び結着部と一体的に形成された接続壁を有する構成とすることにより、天板に傾斜壁を設けた構造であっても、周壁と天板との結着構成を従来の飲料缶と略同じ構成で実現できる。その結果、周壁の形成工程や該周壁と天板との結着工程では従来と略同じ装置を利用でき、飲料缶の製造コストの大幅な上昇を抑えることができる。
【００１３】
また、タブは、一方に長い板片状部材で設けられた構成とすることにより、タブを高い強度で製造して、確実に口金部の開封操作を行なうことができる。
【図面の簡単な説明】
【００１４】
【図１】本考案の実施形態に係る飲料缶の斜視図である。
【図２】図１の飲料缶の平面図である。
【図３】図１の飲料缶のＡ−Ａ線断面図の上部側の拡大図である。
【図４】図３の飲料缶のＢ−Ｂ線断面図である。
【図５】図１の飲料缶のタブとリンクと口金部の一部を天板を省略して説明した斜視図である。
【図６】図１の飲料缶を開封する際の作用を説明する概略模式図である。
【図７】図１の飲料缶を開封した状態の平面図である。
【図８】図１の飲料缶のタブの一部を切断した斜視説明図である。
【図９】天板の他の形態の縦断面図の上部側の拡大図である。
【考案を実施するための形態】
【００１５】
以下、添付図面を参照しつつ本考案の飲料缶の実施の形態について説明する。本実施形態の飲料缶は、例えば、お茶、コーヒー、ジュース等の清涼飲料、炭酸飲料、又はビールや発泡酒等のアルコール飲料等の飲料類を内部に封入した飲料用密封容器である。図１ないし図８は、本考案の飲料缶の一実施形態を示している。図１、図２に示すように、本実施形態において、飲料缶１０は、缶体１２と、缶体１２の天板２６に設けられた、口金部１４と、くぼみ部１６と、タブ１８と、リンク２０と、を有している。
【００１６】
缶体１２は、例えば、アルミニウム缶やスチール缶からなり、周壁２２と、下面側を閉鎖する底板２４と、上面側を閉鎖する天板２６と、を含む。本実施形態では、周壁２２は、例えば、上端縁の高さが同じ高さに設定されており、中空の略円筒形状に形成される。底板２４は、例えば、円筒形状の周壁２２の大きさ及び形状に対応して平面視円形状の平板で形成されている。周壁２２と底板２４とは、例えば、絞り加工等の加圧加工により一体的に形成されており、上面を開口した略有底円筒状の缶本体を形成している。なお、周壁２２と底板２４とはそれぞれ別の部材で製造した後、一体的に組み付けることとしてもよい。また、周壁２２と底板２４は、従来の飲料缶の構造と略同じ構造で構成されるとよい。缶体１２の大きさや周壁２２、底板２４の形状等は、缶体内部Ｓに入れる飲料の種類や量に応じて設定される。
【００１７】
天板２６は、缶体１２の上面側すなわち略有底円筒状の缶本体の上面開口を閉鎖する缶上蓋であり、缶体内部Ｓの飲料を飲む際には該天板の一部分を開口して飲み口部を形成させる閉鎖蓋兼開口形成手段である。本実施形態では、図１、図２、図３に示すように、天板２６は、例えば、周壁２２の上端部と結着する結着部２８と、開口形成部となる口金部１４が形成される傾斜壁３０と、接続壁３２と、を含む。天板２６は、例えば、１枚の金属薄板をプレス加工等することにより、後述のような結着部２８、傾斜壁３０、接続壁３２を含む所定の形状に変形させて一体的に形成される。基本的には、天板２６は、周壁２２とは別部材で製造されており、周壁２２と底板２４とを有する缶本体の上面開口から飲料を充填した後に、周壁２２に取り付けられる
【００１８】
結着部２８は、天板２６の外周縁で形成しており、周壁２２の上端部の平面円形状に対応して、平面視で略円環状に形成されている。本実施形態では、結着部２８は、例えば、従来周知の飲料缶における天板（缶上蓋）と周壁との結着構造と略同じ構造でよく、天板２６を形成している板部材の外周縁部分を周壁２２の上端形状に対応して段状に折り曲げて構成されている。そして、結着部２８は、この段状の折り曲げ部分が周壁２２の上端部の円形全周に亘って重ね合わされ、巻き締め状に結着される。なお、図上では結着構造は簡略化して示している。結着部２８は、例えば溶接等その他周壁２２の上端部と気密水密状に結着される構成であれば任意でもよい。
【００１９】
傾斜壁３０は、缶体１２の円筒軸線Ｍ長手方向に対して、すなわち周壁２２に対して傾斜して形成される。傾斜壁３０は、例えば、略円板状に形成されており、傾斜高位側Ｈｐの外縁が周壁２２の上端部近傍に設定されて結着部２８を介して接続されるとともに、該傾斜壁３０は、缶体１２内部に向けて下り傾斜されている。よって、傾斜壁３０は、傾斜高位側Ｈｐで結着部２８の一部と一体的に接続されており、結着部２８に対して離隔している傾斜壁３０の傾斜低位側の外縁は、接続壁３２を介設して結着部２８の他の一部と接続されている。傾斜壁３０の傾斜角度は、例えば、円筒軸線Ｍに対して垂直面、すなわち周壁の上端縁に沿った水平面に対して約２０度に設定されている。なお、傾斜壁３０の角度は、任意に設定してもよい。傾斜壁３０の外縁寄り位置であって傾斜高位Ｈｐ側には、口金部１４が形成されている。すなわち、傾斜壁３０には、開口の形成部分となる口金部１４と、該口金部１４を開封させるための開封機構３４と、が一体的に設けられている。後述のように口金部１４を開封した際には、傾斜壁３０の傾斜高位側Ｈｐと周壁２２の上端部との接続部分周辺を飲み口部３６となり、それらの角度のついた形状が人が口をつけて飲む際に人の口にフィットしやすく、スムーズに缶内の飲料を飲むことができる。さらに、傾斜壁３０には、口金部１４の形成位置から離隔した位置に傾斜壁上面から缶体内部Ｓ側に向けて凹設されたくぼみ部１６が設けられている。くぼみ部１６は、例えば、口金部１４の形成位置より傾斜低位側に配置されており、指先が入る程度の大きさの平面視円形状で、傾斜壁３０を形成する板部材の一部を凹み変形して形成されている。
【００２０】
接続壁３２は、傾斜壁３０の傾斜低位側の外縁と、結着部２８の一部と、を接続するように、傾斜壁３０及び結着部２８と一体的に形成されている。接続壁３２は、缶体１２の上面側を閉鎖する天板２６において傾斜壁３０により斜めに閉鎖した部分の残余の部分、すなわち、缶体１２内に傾斜した傾斜壁３０と、周壁２２の上端部に沿って水平状に形状される結着部２８と、の間の部分を連続的に閉鎖している。本実施形態では、接続壁３２は、例えば、平面視では三日月状に形成されるとともに、縦断面視では傾斜壁３０と逆向きの傾斜となる、他の傾斜壁で構成されている。接続壁３２は、該接続壁の傾斜高位側の外縁が結着部２８と接続されるとともに、接続壁３２の傾斜低位側の外縁が傾斜壁３０の傾斜低位側の外縁と接続されている。このように接続壁３２を構成することにより、飲み口部が人の口にフィットしやすいように傾斜壁３０を形成させた構造であっても、従来と略同様な結着部２８による結着構造で周壁２２に取り付けることができる。よって、天板の形成以外の缶体の製造工程や、天板と周壁との接続工程等を殆ど変更なく、製造コストが大幅にアップするのを抑えることができる。なお、本実施形態のような天板と周壁の構造に限らず、例えば、傾斜壁３０の傾斜に合わせて周壁２２を斜めに切断した構造や、傾斜壁の外縁を缶体内側において周壁内周に接続させる構造等も考えられる。しかしながら、飲料缶の製造装置を特殊な構造に変更せざるを得なくなる結果、製造コストの高騰を招くおそれがあるため、本実施形態のような天板の構造の方が有利である。
【００２１】
なお、傾斜壁３０と接続壁３２の構成は、上記した構成に限らず、例えば、図９に示すように、傾斜壁３０の傾斜下位側を周壁内壁近傍側まで延長すると同時に、接続壁３２を結着部２８から周壁２２内面に沿って縦方向に形成させた縦壁３２ｂで構成することとしてもよい。
【００２２】
口金部１４は、天板２６の傾斜壁３０の外縁寄り位置に形成され、天板２６と一体化して該天板１２の一部を成しており、常時は缶体１２の上面側を閉鎖している。そして、口金部１４は、タブ１８の操作により開封され、開封時には周壁２２の上端に沿うような横長形状の飲み口部３６を開口させる。口金部１４は、例えば、横長楕円形状又は横長丸形状に形成されて傾斜壁３０と一体化された口金片１４ａを有している。口金部１４は、開封時には、図６に示すように、口金片１４ａが傾斜壁３０から離脱して、略同じ大きさの横長楕円形状又は横長丸形状の開口３７を形成して横長の飲み口部３６となる。なお、口金部１４は、例えば、天板１２又はその傾斜壁３０にプレス加工等により切り溝（スコア）を形成し、開封時に切り溝を破断して天板から離脱させる構成としてもよい。また、口金部１４は、予め飲み口部の開口を形成した天板１２を形成し、該天板の開口を閉鎖するように別に製造した口金片を任意の固定手段により一体的に固定し、開封時に口金片を離脱させる構成としてもよい。
【００２３】
タブ１８は、図１、図２、図５に示すように、天板２６上面に配置され、口金部１４の開封機構３４における引き金である。タブ１８は、例えば、缶体１２と同じアルミニウム等の金属で形成された一方に長い板片状部材からなる。タブ１８は、一端が天板１２に接続されるとともに、他端をくぼみ部１６位置に対応して設定されて、傾斜壁３０上面に沿うように近接して配置されている。タブ１８を構成する板状部材は、例えば、舌片状に形成されており、円弧状先端部を他端側としてくぼみ部１６に配置されている。そして、このタブ１８の他端部が開封操作時の指掛け部となり、上述のくぼみ部１６が形成されていることにより、タブに簡単にかつ確実に指を掛けることができるようになっている。タブ１８は、図８に示すように、板片状部材の断面形状が略コ字状となるトラフ状に形成されて強度が高い構造となっており、折れ曲がりにくいようになっている。なお、タブ１８は、例えば、従来の飲料缶のようにリング状に形成してもよく、その他任意の構造でもよいが、高強度の構造の方が好適である。本実施形態では、タブ１８は、例えば、板状部材の長手方向が口金部１４の横長方向に対して平行位置からやや斜めに向けて配置されている。タブ１８の一端側の傾斜壁３０との接続部分３８は、回転の支点又は回動軸状に機能するようになっている。タブ１８は、例えば、傾斜壁３０面上でタブ１８の幅方向に向けてその回転軸線が設定され、他端側を自由端として該接続部分３８回りに傾斜壁から引き起こし回動され、かつ１８０度反転位置まで回動可能に設けられている。接続部分３８は、容易に切断されないように強度が高く設けられる。さらに、接続部分３８は、少なくとも口金部１８が天板を閉鎖している状態では缶体内部の飲料が漏れないように水密気密が保持されるように形成される。なお、接続部分３８は、例えば、タブ１８をリベットで傾斜壁３０に取り付ける構成や焼入れして強度を向上させる構成等、その他任意の接続構成でよい。
【００２４】
リンク２０は、図１、図４、図５に示すように、缶体１２の内部Ｓ側に配置され、タブ１８の引き起こし回動動作に応動して口金部１４を開封させるものであり、口金部１４の開封機構３４の一要素である。本実施形態では、リンク２０は、一端が天板２６とタブ１８との接続部分３８に接続されるとともに他端が缶体内部Ｓ側から口金部１４に接続されている。そして、リンク２０は、タブ１８の他端側の引き起こし操作時に、天板２６とタブ１８との接続部分３８回りに缶体１２内側内で回動して口金部１４を開封させる。本実施形態では、図５にも示すように、リンク２０は、例えば、アルミニウム等の金属製でタブ１８と一体的に形成されており、タブ１８の一端側に連設された直状部２０ａと、該直状部２０ａに一体的に連設され他端部が口金部１４に接続される屈曲板部２０ｂと、を有している。リンク２０の直状部２０ａは、一端側が傾斜壁３０とタブ３０との接続部分に接続されており、断面が略コ字状又は略トラフ状に形成されて強度が高い構造となっている。屈曲部２０ｂは、例えば、湾曲板バネ状に屈曲されており、口金部１４の横長方向の一端部側であって、タブ１８の他端（くぼみ部）側とは接続部分３８を挟んで反対となる側に固定されている。これにより、リンク２０は、開封操作時に、タブ１８が接続部３８周りに回動されると、その動きに連動して梃子状又はシーソー状に接続部３８周りに回動する。そして、リンク２０は、図６に示すように、接続部３８周り回動に伴って、横長の口金部１４と該リンク２０の他端とが接続している部分を作用点として、該口金部１４をその端部側から缶体内部Ｓ側に向けて引き剥がすように口金部１４を天板の傾斜壁３０から離脱させ、横長楕円形状の開口３７を形成させる。なお、本実施形態では、上述の天板２６の構造は、開封された後には傾斜壁３０から離脱した口金部の口金片１４ａ及びタブ１８は、缶体内側においてリンク２０を介して傾斜壁に接続されたままとなるので、一種のステイオンタブ蓋構造といえる。なお、リンク２０と、天板２６とタブ１８との接続部分３８と、の接続構造は、例えば、リンクの一端をリベット等により取り付ける等、その他任意の構造でもよい。また、タブ１８とリンク２０と口金部１４とを一つの部材で一体的に構成し、その一体部材を天板を貫通させて、タブを缶の外側、リンクを缶の内側に配置させた状態で天板とタブとを強固に接続する構造としてもよい。
【００２５】
次に、本実施形態に係る飲料缶１０の作用について説明する。なお、図６は、開封操作時のタブ１８とリンク２０と口金部１４の作用を模式的に示した図である。一点鎖線３７ｖは、横長の開口３７が形成される範囲を仮想的に示している。図６（ａ）に示すように、飲料缶１０を開封する前は口金部１４は傾斜壁３０と一体化されて開口形成部分３７ｖを閉鎖しており、飲料缶１０を開封する際には、タブ１８の他端側に指Ｆを掛けて上方側に向けて引き起こす。この際、傾斜壁に形成されたくぼみ部１６に指先が入るので、タブ１８の他端部に指Ｆを掛けやすく、簡便かつ確実にタブ１８の引き起こし操作を行える。図６（ｂ）に示すように、タブ１８を引き起こすと、このタブ１８の天板２６との接続部分３８周りの引き起こし動作に伴って、リンク２０が天板とタブとの接続部分３８周りに缶体内側に向けて回動し、さらに、リンク２０の他端に接続された口金部１４もその端部側から引き剥がされるように傾斜壁３０から離脱されていく。この際、リンク２０と口金部１４とは屈曲部を介して接続されているので、スムーズに操作できる。さらに、図６（ｃ）に示すように、タブ１８を開封前の元の位置から１８０度回転位置まで回動させると、横長楕円形状の開口３７が完全に開封され（図７参照）、周壁の上端に沿って横長の飲み口部が形成される。このようにタブ１８の一連の一方向回動操作で開封できるので操作性がよい。飲料缶を開封した後には、横長楕円形状の開口３７及び傾斜壁３０の構造により、飲み口部３６が人の口にフィットしやすく、缶内部の飲料をスムーズに飲むことが出来る。また、開封した後も口金部の口金片は、リンク２０を介して天板の傾斜壁３０に接続されたままとなるので、口金片で怪我したり口金片を誤飲したりするおそれもなく、安全に缶体内部の飲料を飲むことができる。
【００２６】
以上説明した本考案の飲料缶は、上記した実施形態のみの構成に限定されるものではなく、実用新案登録請求の範囲に記載した本考案の本質を逸脱しない範囲において、任意の改変を行ってもよい。
【産業上の利用可能性】
【００２７】
本考案の飲料缶は、内部に種々の飲料を充填した飲料用缶容器として好適に用いられ、従来の飲料缶同様に、スーパー、コンビニエンスストア等の店舗や自動販売機等で販売することができる。
【符号の説明】
【００２８】
１０    飲料缶
１２    缶体
１４    口金部
１６    くぼみ部
１８    タブ
２０    リンク
２２    周壁
２４    底板
２６    天板
２８    結着部
３０    傾斜壁
３２    接続壁
３６    飲み口部
３７    開口
３８    接続部分 
【図１】
0003164503.tif 000003
【図２】
0003164503.tif 000004
【図３】
0003164503.tif 000005
【図４】
0003164503.tif 000006
【図５】
0003164503.tif 000007
【図６】
0003164503.tif 000008
【図７】
0003164503.tif 000009
【図８】
0003164503.tif 000010
【図９】
0003164503.tif 000011